(57)【要約】【課題】光電伝送デバイスの提供。【解決手段】電気信号伝送回路、スイッチングデバイス、及び、セレクタを備えている、信号を伝送するための光電伝送デバイスであって、上記電気信号伝送回路は、伝送信号を第一の伝送信号と第二の伝送信号とに分割し、上記スイッチングデバイスは、電気的に接続されていて、第一の伝送信号を受信して、伝送信号が高速信号及び低速信号のいずれであるかを判断するための識別信号に変換し、上記セレクタは、電気的に接続されていて、第二の伝送信号と識別信号とを受信して、伝送信号が高速信号であると判断された場合は光導波路へ第二の伝送信号を出力し、伝送信号が低速信号であると判断された場合は電気配線へ第二の伝送信号を出力し、上記光導波路は、上記電気信号伝送回路と電気信号受信回路とを光学的に接続し、上記電気配線は、上記電気信号伝送回路と電気信号受信回路とを電気的に接続している、光電伝送デバイス。【選択図】図１
2010504663.tif 000002
【特許請求の範囲】
【請求項１】
信号を伝送するための光電伝送デバイスであって、
前記光電伝送デバイスは、電気信号伝送回路、スイッチングデバイス、及び、セレクタを備え、
前記電気信号伝送回路は、伝送信号を第一の伝送信号と第二の伝送信号とに分割し、
前記スイッチングデバイスは、電気的に接続されていて、第一の伝送信号を受信して、伝送信号が高速信号及び低速信号のいずれであるかを判断するための識別信号に変換し、
前記セレクタは、電気的に接続されていて、第二の伝送信号と識別信号とを受信して、伝送信号が高速信号であると判断された場合は光導波路へ第二の伝送信号を出力し、伝送信号が低速信号であると判断された場合は電気配線へ第二の伝送信号を出力し、
前記光導波路は、前記電気信号伝送回路と電気信号受信回路とを光学的に接続し、
前記電気配線は、前記電気信号伝送回路と電気信号受信回路とを電気的に接続している
光電伝送デバイス。
【請求項２】
前記スイッチングデバイスは、サイクル決定デバイス、第一計数器、第一コンパレータ、第一保持デバイス、第二計数器、第二コンパレータ、第二保持デバイス、及び、加算器を備え、
前記サイクル決定デバイスは、サイクルを決定し、
前記第一計数器は、決定されたサイクルにおける第一群の移行数をカウントし、
前記第一コンパレータは、カウントされた前記第一群の移行数と前記第一コンパレータに保持されている数とを比較し、
前記第一保持デバイスは、前記サイクルの間、第一コンパレータからの結果を保持し、
前記第二計数器は、前記サイクルにおける第二群の移行数をカウントし、
前記第二コンパレータは、カウントされた前記第二群の移行数と前記第二コンパレータに保持されている数とを比較し、
前記第二保持デバイスは、前記サイクルの間、第二コンパレータからの結果を保持し、
前記加算器は、第一及び第二保持デバイスから受信した結果を加算する
請求項１に記載の光電伝送デバイス。
【請求項３】
前記第一及び第二計数器は、サイクル決定デバイスによって定められたサイクルの、複数の１／２サイクル毎に、第一群及び第二群の移行数をカウントする
請求項２に記載の光電伝送デバイス。
【請求項４】
前記サイクル決定デバイスは、可変サイクル型のサイクル決定デバイスである
請求項１に記載の光電伝送デバイス。
【請求項５】
更に遅延ラインを有する光電伝送デバイスであって、
前記セレクタは、遅延ラインを介して第二の伝送信号を受信する
請求項１に記載の光電伝送デバイス。
【請求項６】
更にバッファを有する光電伝送デバイスであって、前記サイクルの間、
前記セレクタは、バッファを介して第二伝送信号を受信し、
前記サイクル決定デバイスは、信号を伝送する
請求項２に記載の光電伝送デバイス。
【請求項７】
前記電気信号受信回路は、スイッチを備え、
前記スイッチは、加算器に加算され、加算器から出力された結果信号を受信し、結果信号に従って光導波路及び電気配線のどちらから信号を出力するかを判断する
請求項１に記載の光電伝送デバイス。
【請求項８】
更にレベルコンバータを有する光電伝送デバイスであって、
前記レベルコンバータは、入力データのＶｃｃとグランドとを所定のＶｃｃ一定値とグランド一定値とに変換する
請求項１に記載の光電伝送デバイス。
【請求項９】
前記スイッチングデバイスは、サイクル決定デバイスによって定められたサイクルの、複数の１／２サイクル毎に、第二の伝送信号を光導波路及び電気配線のいずれかに出力する
請求項１に記載の光電伝送デバイス。
【請求項１０】
前記スイッチングデバイスは、
サイクルを決定する手段、
決定されたサイクルにおける第一群の移行数をカウントする手段、
カウントされた前記第一群の移行数と第一比較手段に保持されている数とを比較する第一比較手段、
前記サイクルの間、第一比較手段からの結果を保持する手段、
前記サイクルにおける第二群の移行数をカウントする手段、
カウントされた前記第二群の移行数と第二比較手段に保持されている数とを比較する第二比較手段、
前記サイクルの間、第二比較手段からの結果を保持する手段、及び、
結果を保持する手段から受信した結果を加算する手段
を備える請求項１に記載の光電伝送デバイス。
【請求項１１】
信号を伝送するための光電伝送デバイスであって、
前記光電伝送デバイスは、電気信号伝送回路、変換手段、及び、出力手段を備え、
前記電気信号伝送回路は、伝送信号を第一の伝送信号と第二の伝送信号とに分割し、
前記変換手段は、第一の伝送信号を、高速信号及び低速信号のいずれであるかを判断するための識別信号に変換し、
前記出力手段は、伝送信号が高速信号であると判断された場合は光導波路へ第二の伝送信号を出力し、伝送信号が低速信号であると判断された場合は電気配線へ第二の伝送信号を出力し、
前記光導波路は、前記電気信号伝送回路と電気信号受信回路とを光学的に接続し、
前記電気配線は、前記電気信号伝送回路と電気信号受信回路とを電気的に接続している
光電伝送デバイス。
【請求項１２】
更に遅延ラインを有する光電伝送デバイスであって、
前記セレクタは、遅延ラインを介して第二の伝送信号を受信する
請求項１１に記載の光電伝送デバイス。
【請求項１３】
更にバッファを有する光電伝送デバイスであって、前記サイクルの間、
第二の伝送信号を出力する前記出力手段は、バッファを介して第二の伝送信号を受信し、
第一の伝送信号を識別信号に変換する前記変換手段は、信号を伝送する
請求項１１に記載の光電伝送デバイス。
【請求項１４】
前記電気信号受信回路は、スイッチを備え、
前記スイッチは、加算器に加算され、加算器から出力された結果信号を受信し、結果信号に基づいて光導波路及び電気配線のどちらから信号を出力するかを判断する
請求項１１に記載の光電伝送デバイス。
【請求項１５】
更に変換手段を有する光電伝送デバイスであって、
前記変換手段は、入力データのＶｃｃとグランドとを所定のＶｃｃ一定値とグランド一定値とに変換する
請求項１１に記載の光電伝送デバイス。
【請求項１６】
第一の信号を識別信号に変換する前記変換手段は、第一の信号を識別信号に変換する前記変換手段によって定められたサイクルの、複数の１／２サイクル毎に、第二の伝送信号を光導波路及び電気配線のいずれかに出力する
請求項１１に記載の光電伝送デバイス。
【請求項１７】
請求項１に記載の光電伝送デバイスを備えていることを特徴とする光配線デバイス。
【請求項１８】
請求項１に記載の光電伝送デバイスを備えていることを特徴とするモバイル機器デバイス。
【発明の詳細な説明】
【技術分野】
【０００１】
本願は、２００６年９月１９日に出願された米国特許出願第６０／８４５５２２号明細書及び２００６年１０月２３日に出願された米国特許出願第６０／８５３４２２号明細書を基礎として優先権主張するものである。これらの出願の全内容が、参照により本願明細書に組み込まれる。
【０００２】
本発明は、光電伝送デバイスに関する。
【背景技術】
【０００３】
特許文献１には、半導体集積回路装置と、半導体集積回路装置に接続された外部装置との間の信号伝送手段を変換する装置が開示されており、データ信号は光学的に伝送され、電源及び駆動信号は電気的に伝送される。本引例の全内容が、参照により本願明細書に組み込まれる。
【先行技術文献】
【特許文献】
【０００４】
【特許文献１】特開平１０−１３５４０７
【発明の概要】
【課題を解決するための手段】
【０００５】
本発明の一態様によれば、信号を伝送するための光電伝送デバイスは、電気信号伝送回路、スイッチングデバイス、及び、セレクタを備え、上記電気信号伝送回路は、伝送信号を第一の伝送信号と第二の伝送信号とに分割し、上記スイッチングデバイスは、電気的に接続されていて、第一の伝送信号を受信して、伝送信号が高速信号及び低速信号のいずれであるかを判断するための識別信号に変換し、上記セレクタは、電気的に接続されていて、第二の伝送信号と識別信号とを受信して、伝送信号が高速信号であると判断された場合は光導波路へ第二の伝送信号を出力し、伝送信号が低速信号であると判断された場合は電気配線へ第二の伝送信号を出力し、上記光導波路は、上記電気信号伝送回路と電気信号受信回路とを光学的に接続し、上記電気配線は、上記電気信号伝送回路と電気信号受信回路とを電気的に接続している。
【０００６】
本発明の別の態様によれば、光配線デバイスは、信号を伝送するための光電伝送デバイスを備え、上記信号を伝送するための光電伝送デバイスは、電気信号伝送回路、スイッチングデバイス、及び、セレクタを備え、上記電気信号伝送回路は、伝送信号を第一の伝送信号と第二の伝送信号とに分割し、上記スイッチングデバイスは、電気的に接続されていて、第一の伝送信号を受信して、伝送信号が高速信号及び低速信号のいずれであるかを判断するための識別信号に変換し、上記セレクタは、電気的に接続されていて、第二の伝送信号と識別信号とを受信して、伝送信号が高速信号であると判断された場合は光導波路へ第二の伝送信号を出力し、伝送信号が低速信号であると判断された場合は電気配線へ第二の伝送信号を出力し、上記光導波路は、上記電気信号伝送回路と電気信号受信回路とを光学的に接続し、上記電気配線は、上記電気信号伝送回路と電気信号受信回路とを電気的に接続している。
【０００７】
本発明の更に別の態様によれば、モバイル機器デバイスは、信号を伝送するための光電伝送デバイスを備え、上記信号を伝送するための光電伝送デバイスは、電気信号伝送回路、スイッチングデバイス、及び、セレクタを備え、上記電気信号伝送回路は、伝送信号を第一の伝送信号と第二の伝送信号とに分割し、上記スイッチングデバイスは、電気的に接続されていて、第一の伝送信号を受信して、伝送信号が高速信号及び低速信号のいずれであるかを判断するための識別信号に変換し、上記セレクタは、電気的に接続されていて、第二の伝送信号と識別信号とを受信して、伝送信号が高速信号であると判断された場合は光導波路へ第二の伝送信号を出力し、伝送信号が低速信号であると判断された場合は電気配線へ第二の伝送信号を出力し、上記光導波路は、上記電気信号伝送回路と電気信号受信回路とを光学的に接続し、上記電気配線は、上記電気信号伝送回路と電気信号受信回路とを電気的に接続している。
【図面の簡単な説明】
【０００８】
上記詳細な説明を以下の添付図面と関連させて参照することで、本発明のより完全な評価及び付随する多くの利点に関して、更に理解が深まるであろう。
【図１】本発明の一実施形態に係る光電伝送デバイスを示す平面図である。
【図２】図１に示した光電伝送デバイスのスイッチング素子を示す模式図である。
【図３】本発明の一実施形態に係るスイッチング素子における演算結果を示す説明図である。
【図４】本発明の別の実施形態に係る光電伝送デバイスを示す平面図である。
【図５】図４に示した光電伝送デバイスのスイッチング素子を示す模式図である。
【発明を実施するための形態】
【０００９】
以下、添付の図面を参照して本発明の実施形態を説明する。各図面において、同じ参照番号は対応する要素又は同じ要素を表す。
【００１０】
図１は、本発明の一実施形態に係る光電伝送デバイスを示す平面図である。図１によれば、光電伝送デバイスは、第一基板１、第二基板２、及び、第一基板１と第二基板２との間で信号を伝送する伝送基板３を有している。
【００１１】
第一基板１上には、ロジック１１、スイッチング素子１２、ドライバ１３、及び、レーザーダイオード１４等の部品が実装されている。第二基板２上には、フォトダイオード２１、アンプ２２、及び、スイッチ１３０等の部品が実装されている。伝送基板３上には、第一基板１と第二基板２との間で信号を伝送するための電気回路及び光導波路が形成されている。
【００１２】
レーザーダイオードは端面発光型であることが好ましく、フォトダイオードは端面受光型であることが好ましい。また、レーザーダイオードはシングルモードであることが好ましく、光導波路はマルチモードであることが好ましい。
【００１３】
図２は、図１に示した光電伝送デバイスのスイッチング素子を示す模式図である。図２によれば、スイッチング素子１２は、第一基板１から第二基板２へと信号を伝送する際に使用する手段（光又は電気手段）を決定する部品である。
【００１４】
図２に示す通り、スイッチング素子１２は、レベルコンバータ１２１、サイクル決定素子１２２（「標準サイクル生成器」ともいう）、第一計数器１２３−１、第二計数器１２３−２、第一コンパレータ１２４−１、第二コンパレータ１２４−２、第一保持回路１２５−１、第二保持回路１２５−２、加算器１２６、セレクタ１２７、遅延ライン１２８、及び、バッファ１２９を有する。
【００１５】
図３は、本発明の実施形態に係るスイッチング素子における演算結果を示す説明図である。図２及び図３を参照し、各部品の役割を以下に説明する。図３は、スイッチング素子に入力された後に算出される２サイクル分のデータに関する情報を示す説明図である。
【００１６】
レベルコンバータは、入力素子に入力されたデータがスイッチング素子で処理されるようにデータを変換する。スイッチング素子で処理される前の入力データ３００のＶｃｃ及びグランドは、データ等により一様でない場合がある。レベルコンバータ１２１は、入力データ３００のＶｃｃ及びグランドを所定のＶｃｃ（一定）及びグランド（一定）に変換する。
【００１７】
例えば、Ｖｃｃが３．３Ｖ、グランドが０．８Ｖである入力データは、レベルコンバータによってＶｃｃが２．２Ｖ、グランドが０．２Ｖのデータに変換される。また、Ｖｃｃが１．８Ｖ、グランドが１．２Ｖの入力データも、レベルコンバータによってＶｃｃが２．２Ｖ、グランドが０．２Ｖのデータに変換される。これ以外の電圧を有するデータについても、レベルコンバータによってＶｃｃが２．２Ｖ、グランドが０．２Ｖのデータに変換される。Ｖｃｃが２．２Ｖ、グランドが０．２Ｖであるというこれらの所定値は、電圧の一例に過ぎない。
【００１８】
上述の通り、レベルコンバータは、入力信号３００をスイッチング素子で処理できるデータに変換するものであるから、入力データ３００がすでにスイッチング素子で処理可能な場合、レベルコンバータは不要である。
【００１９】
レベルコンバータにより変換されたデータは、遅延ライン１２８及びバッファ１２９を介してセレクタ１２７へ伝送される。データはバッファ１２９に保持された後、サイクル決定素子１２２から入力された信号（クロック信号）に従って、サイクル毎にセレクタへ出力される。
【００２０】
レベルコンバータで処理されたデータはセレクタ１２７へ伝送されるとともに、このデータが高速信号であるか低速信号であるかの情報を得るため、第一計数器１２３−１及び第二計数器１２３−２へ伝送される。
【００２１】
データが計数器に到達すると、グランドからＶｃｃへ移行する数がカウントされる。伝送されたデータが高速信号であるか低速信号であるかを判断するためには、数に関する情報とともに時間も利用される。従って、サイクル（Ｔ）に関する情報は、サイクル決定素子１２２から第一計数器１２３−１及び第二計数器１２３−２へ入力される（図３の（１）参照）。
【００２２】
第一計数器１２３−１及び第二計数器１２３−２は、サイクル（Ｔ）に基づき、所定時間内にグランドからＶｃｃへ移行する数（移行数）をカウントする（Ｖｃｃからグランドへ移行する場合に数をカウントしてもよい）。例えば、第一計数器は、高レベルＶｃｃ時にサイクル決定素子からデータを受信した場合に数をカウントする。第二計数器は、低レベル（グランド）時にサイクル決定素子からデータを受信した場合に数をカウントする。図３の（２）に示す通り、第一計数器及び第二計数器には同じデータが連続的に伝送される。
【００２３】
連続して入力されるデータの移行数は、第一計数器及び第二計数器を用いて、サイクル（Ｔ）毎に連続的にカウントされる。第一計数器は、サイクル（Ｔ）の前半１／２内の移行数をカウントし、第二計数器は後半１／２内の移行数をカウントする。図中、２サイクル分の波形が例として示されている（図３の（２）中、左側のサイクル（Ｔ）におけるデータを左データといい、右側のサイクル（Ｔ）におけるデータを右データという）。しかし実際には、連続したデータが計数器に伝送される。
【００２４】
左データの移行数は、サイクル（Ｔ）の前半１／２内においては（６）であり、後半１／２内においては（７）である。右データの移行数は、サイクル（Ｔ）の前半１／２内においては（１）であり、後半１／２内においては（０）である。左データと右データとは連続していて、１サイクルずれたデータである。第一計数器が低レベルにおける数をカウントし、第二計数器が高レベルにおける数をカウントしてもよい。サイクル（Ｔ）は固定でも可変でもよいが、可変サイクルであることが好ましい。
【００２５】
第一計数器において、１サイクル内の高レベル時にカウントされる数情報（左データの最終の数情報：（６）；右データの最終の数情報：（１））が第一コンパレータ１２４−１に伝送される。
【００２６】
第一コンパレータでは、第一計数器から受信した数情報と第一コンパレータに保持されていた数（例えば、（５））とが比較される。その後、受信した数情報が第一コンパレータに保持されていた数以上の場合、第一コンパレータ１２４−１から第一保持回路１２５−１及び加算器１２６へ、第一計数器において移行数をカウントされているデータは高速信号であるという信号が出力される。判断結果は、第一保持回路１２５−１及び加算器１２６において、１サイクルの間、保持される。
【００２７】
第二計数器１２３−２、第二コンパレータ１２４−２、第二保持回路１２５−２、及び、加算器１２６においても同様である。すなわち、第二計数器では、１サイクル内の低レベル時にカウントされる数情報（左データの最終の数情報：（７）；右データの最終の数情報：（０））が第二コンパレータ１２４−２に伝送される。
【００２８】
第二コンパレータでは、第二計数器から受信した数情報と第二コンパレータに保持されていた数（例えば、（５））とが比較される。その後、受信した数情報が第二コンパレータに保持されていた数以上の場合、第二コンパレータ１２４−２から第二保持回路１２５−２及び加算器１２６へ、第二計数器で移行数をカウントされているデータは高速信号であるという信号が出力される。判断結果は、第二保持回路１２５−２及び加算器１２６において、１サイクルの間、保持される。
【００２９】
ここまでは、高速であると判断された例について説明した。以下、低速であると判断される例について説明する。
【００３０】
カウント終了後（第一計数器においてサイクル内の前半１／２が終了した後、及び、第二計数器において１サイクルが終了した後）、第一計数器及び第二計数器はリセットされる（移行数が（０）となる）。第一保持回路、第二保持回路、及び、加算器に保持されたデータ（高速の場合は（１）、低速の場合は（０））は、サイクル毎に（０）にリセットされる。その後、第一計数器でカウントされた移行数が、１サイクル（サイクル（Ｔ）の前半１／２）の間で第一コンパレータに保持されている数情報に到達しない場合、第一保持回路及び加算器に保持される第一の判断結果は低速（（０））となる。
【００３１】
第二の結果も同様に判断される。第二計数器でカウントされた移行数が、１サイクル（サイクル（Ｔ）の後半１／２）の間で第二コンパレータに保持された数情報に到達しない場合、第二保持回路及び加算器に保持される第二の判断結果は低速（（０））である。
【００３２】
第一保持回路を介して加算器に入力された判断結果（第一の判断結果）及び第二保持回路を介して加算器に入力された別の判断結果（第二の判断結果）に基づいて、加算器は加算判断結果を生成する。第一の判断結果と第二の判断結果とのいずれか一方が高速（（１））である場合、加算判断結果は高速であると判断される。
【００３３】
バッファ１２９は、サイクル決定素子１２２からのクロック信号に基づき、セレクタ１２７へデータを出力する。セレクタ１２７は、サイクル決定素子１２２からのクロック信号に基づき、加算器が生成した加算判断結果を受信する。その後、バッファ１２９からセレクタ１２７に到達したデータは、加算判断結果に基づいて、伝送基板上の光回路又は電気回路のいずれかに出力される。
【００３４】
このとき、加算器において高速信号であると判断されたデータは、ドライバ及びレーザーダイオードを介して伝送基板上の光回路に出力される。また、低速信号であると判断されたデータは、電気回路に出力される。電気伝送される場合、ドライバＩＣ、レーザーダイオード、フォトダイオード、及びアンプのスイッチを切り、光伝送回路を遮断することが好ましい。
【００３５】
さらに、加算器は加算判断結果をスイッチ１３０に出力する（信号２０３）。伝送基板上の光導波路を介して第二基板へ伝送されたデータは、フォトダイオード２１及びアンプ２２を介してスイッチ１３０に到達する（図２の２００、経路２００）。伝送基板上の電気回路を介して第二回路へ伝送されたデータもスイッチ１３０に到達する（図２の２０１、経路２０１）。
【００３６】
スイッチ１３０は、加算器からの信号２０３（「識別信号」とも言う）に基づいて、データをスイッチへ伝送する際に経路２００又は経路２０１のいずれが使用されたかを識別する。その後、識別結果に従って、スイッチは経路２００及び経路２０２、又は、経路２０１及び経路２０２のいずれか同士を接続し、第二基板上に形成された１つの経路２０２にデータを出力する。
【００３７】
上記説明では、データ速度を判断するのに１サイクルを用いたが、１／２サイクルを用いることもできる。すなわち、サイクル決定素子１２２からのクロック信号に基づいて、バッファ１２９及びセレクタ１２７が１／２サイクル毎に駆動するよう回路を組んでもよい。セレクタは、１／２サイクル毎に加算器の判断結果を受信する。（第一の判断結果及び第二の判断結果を加算することで、加算器が加算判断結果を生成するのではない。第一の判断結果及び第二の判断結果それぞれに基づいて、セレクタが１／２サイクル毎にデータを出力する。）
【００３８】
上記説明は、第一基板から第二基板への伝送方法についての説明である。ロジックやスイッチング素子等の部品は、第二基板上に実装されていてもよい。
【００３９】
第二基板から第一基板へも、スイッチング素子を用い、データに応じて選択する光又は電気回路を介して伝送してもよい。
【００４０】
第二基板から第一基板への伝送は、電気回路のみを介して行ってもよい。
【００４１】
図４は、本発明の別の実施形態に係る光電伝送デバイスを示す平面図である。図４によれば、光電伝送デバイスは、ロジック１１、スイッチング素子１２、ドライバ１３、レーザーダイオード１４、フォトダイオード２１、アンプ２２、及び、光導波路２６からなり、これらは一枚のフレキシブル基板２５上に実装されている。
【００４２】
ロジック１１、スイッチング素子１２、ドライバ１３及びレーザーダイオード１４等の部品が実装された第一領域と、フォトダイオード２１及びアンプ２２等の部品が実装された第二領域とは、光導波路を挟んで配置されている。第一領域と第二領域との間のデータ伝送は、光導波路２６、又は、第一領域と第二領域とを接続する電気回路を用いて行われる。先の実施形態のように、光導波路はフレキシブル基板２５（実施形態１の伝送基板３に相当）上に形成されてもよく、別のフレキシブル基板上に形成された後でフレキシブル基板２５上に積層されてもよい。
【００４３】
図５は、図４に示した光電伝送デバイスのスイッチング素子を示す模式図である。本実施形態では、入力データ３００はスイッチング素子で処理され、先の実施形態におけるレベルコンバータ１２１は備えられていない。さらに、セレクタ１２７から出力されたデータ（２００、２０１）は、スイッチ１３０を経由することなく経路２０２に接続される。また、バッファ１２９も備えられていない。
【００４４】
データ速度を判断するため、計数器、コンパレータ、保持回路、及び、加算器において処理（処理時間）が行われる。その結果、バッファが備えられていない本実施形態においては、加算判断結果が生成される前に入力データ３００がセレクタに到達する。よって、バッファが備えられていない本実施形態では、現在のサイクルより１サイクル前での判断結果を用いて、セレクタから光回路又は電気回路にデータが伝送される。
【００４５】
図３によれば、左データは右データ（左データより１サイクル前に伝送されたデータ）での判断結果を用いてセレクタから出力される。通常、高速であっても低速であっても同じ速度の信号がしばらく続くため、セレクタから伝送基板へデータが伝送された場合に間違った経路を介して伝送されてしまうのは、データ速度が高速から低速へ、又は、低速から高速へ変化した際の最初のサイクル分のデータ程度である。
【００４６】
先の実施形態と同様に、本実施形態ではレベルコンバータ１２１、バッファ１２９、及び、スイッチ１３０が備えられていてもよい。
【００４７】
バッファはセレクタ回路に組み込まれていてもよい。
【００４８】
バッファ１３０又は遅延ライン１２９のいずれかが設けられていてもよい。データは、バッファ１３０及び遅延ライン１２９を通過せずに直接セレクタへ伝送されてもよい。
【００４９】
図１及び図４によれば、ロジック１１は基板上に実装されているが、実装しなくてもよい。
【００５０】
本発明の実施形態に係る光電伝送デバイスは、モバイル機器に好適に用いられる。第一基板（第一領域）を本体（キーボードを備える部分）として使用し、第二基板（第二領域）をディスプレイとして使用するのが好ましい。
【００５１】
スイッチング素子は、ドライバに組み込まれていてもよい。
【００５２】
光伝送回路と電気伝送回路とを切り替えるために、モバイル機器が有しているオン／オフ信号（例えば、スリープモード用のオン／オフ信号）が用いられてもよい。
【産業上の利用可能性】
【００５３】
本発明に係る上述の実施形態は、基板間における伝送データのデータ速度に従って光又は電気伝送手段のいずれかを選択する光電伝送デバイスに関する。
【００５４】
本発明に関しては、上記説明を参考として様々な態様、変形を実施することが可能であるのは明白である。従って、添付の特許請求の範囲内において、ここで具体的に記載したもの以外であっても実施することができる。
【符号の説明】
【００５５】
１          第一基板
２          第二基板
３          伝送基板
１１        ロジック
１２        スイッチング素子
１３        ドライバ
１４        レーザーダイオード
２１        フォトダイオード
２２        アンプ
１２１      レベルコンバータ
１２２      サイクル決定素子
１２３−１  第一計数器
１２３−２  第二計数器
１２４−１  第一コンパレータ
１２４−２  第二コンパレータ
１２５−１  第一保持回路
１２５−２  第二保持回路
１２６      加算器
１２７      セレクタ
１２８      遅延ライン
１２９      バッファ
１３０      スイッチ
２００      光経路
２０１      電気経路
２０２      単一経路
２０３      識別信号
３００      入力データ
【図１】
2010504663.tif 000003
【図２】
2010504663.tif 000004
【図３】
2010504663.tif 000005
【図４】
2010504663.tif 000006
【図５】
2010504663.tif 000007
【手続補正書】
【提出日】平成21年6月12日(2009.6.12)
【手続補正１】
【補正対象書類名】特許請求の範囲
【補正対象項目名】請求項１２
【補正方法】変更
【補正の内容】
【請求項１２】
更に遅延ラインを有する光電伝送デバイスであって、
前記出力手段は、遅延ラインを介して第二の伝送信号を受信する
請求項１１に記載の光電伝送デバイス。
【手続補正２】
【補正対象書類名】明細書
【補正対象項目名】００１８
【補正方法】変更
【補正の内容】
【００１８】
上述の通り、レベルコンバータは、入力データ３００をスイッチング素子で処理できるデータに変換するものであるから、入力データ３００がすでにスイッチング素子で処理可能な場合、レベルコンバータは不要である。
【手続補正３】
【補正対象書類名】明細書
【補正対象項目名】００２２
【補正方法】変更
【補正の内容】
【００２２】
第一計数器１２３−１及び第二計数器１２３−２は、サイクル（Ｔ）に基づき、所定時間内にグランドからＶｃｃへ移行する数（移行数）をカウントする（Ｖｃｃからグランドへ移行する場合に数をカウントしてもよい）。例えば、第一計数器は、サイクル決定素子から受信したデータが高レベル（ＶＣＣ）である場合に数をカウントする。第二計数器は、サイクル決定素子から受信したデータが低レベル（グランド）である場合に数をカウントする。図３の（２）に示す通り、第一計数器及び第二計数器には同じデータが連続的に伝送される。
【手続補正４】
【補正対象書類名】明細書
【補正対象項目名】００４２
【補正方法】変更
【補正の内容】
【００４２】
ロジック１１、スイッチング素子１２、ドライバ１３及びレーザーダイオード１４等の部品が実装された第一領域と、フォトダイオード２１及びアンプ２２等の部品が実装された第二領域とは、光導波路を挟んで配置されている。第一領域と第二領域との間のデータ伝送は、光導波路２６、又は、第一領域と第二領域とを接続する電気回路を用いて行われる。先の実施形態のように、光導波路はフレキシブル基板２５（上記実施形態の伝送基板３に相当）上に形成されてもよく、別のフレキシブル基板上に形成された後でフレキシブル基板２５上に積層されてもよい。
【手続補正５】
【補正対象書類名】明細書
【補正対象項目名】００４８
【補正方法】変更
【補正の内容】
【００４８】
バッファ１２９又は遅延ライン１２８のいずれかが設けられていてもよい。データは、バッファ１２９及び遅延ライン１２８を通過せずに直接セレクタへ伝送されてもよい。
【国際調査報告】
2010504663.tif 000008